(57)【要約】【課題】ポンプ式容器のポンプヘッドにヘッドカバーを着脱可能に装着してポンプ式容器を子供に喜んで利用させることのできるヘッドカバーを提供すること。【解決手段】ヘッドカバー１Ａは、象の頭部からなるキャラクターを模した外観を備えている。カバー１Ａは、その下方へ開口するポンプヘッド挿入口２と、この挿入口２から上方へ向かって凹んだ収納部３を有する。収納部３は、挿入口２の近傍を周方向へ延び、周方向内方へ向かって張り出す凸条５を備え、その上方には周方向外方へ向かって凹む凹溝６が形成されている。ポンプヘッド２１を収納部３に納めるとき、周囲側面２１ｂが凸条５を上方へ向かって乗り越え、凹溝６に密着する。収納部３からは、ノズル２３の過半が納まる細長いノズル被覆部４が径方向外方へ延び、カバー１Ａの下方へ向かって開口している。【選択図】        図１
2004268997.tif 000002
【特許請求の範囲】
【請求項１】
内部に液状物が収容された本体と、前記本体の径方向外方へ延びるノズルを有して該本体の頂部で上下方向へ往復動可能なポンプヘッドとから形成されたポンプ式容器の前記ポンプヘッドに、着脱可能に装着されるヘッドカバーにおいて、
前記ヘッドカバーが、所定のキャラクターを模した外観を備え、該カバーの下方へ向かって開口するポンプヘッド挿入口と、前記挿入口から上方へ向かって凹んでいて前記ポンプヘッドの上面および側面が納まる収納部と、前記収納部から径方向外方へ延びていて該カバーの下方へ向かって開口し、前記ノズルの過半が納まる細長いノズル被覆部とを有し、
前記収納部が、前記挿入口近傍を周方向へ延びていて該収納部の周方向内方へ向かって張り出す凸条と、前記凸条の上方を周方向へ延びていて該収納部の周方向外方へ向かって凹む凹溝と、前記凹溝の上方を上下方向へ延びていて前記収納部の周方向へ所与寸法離間して並ぶ多数のリブとを有し、
前記ヘッドカバーでは、前記ポンプヘッドの側面が前記凸条を上方へ向かって乗り越えることが可能、かつ、前記ポンプヘッドが前記収納部に納まると、前記凹溝が前記ポンプヘッドの側面に密着するとともに前記リブが前記ポンプヘッドの上面に密着して前記ヘッドカバーと前記ポンプヘッドとが互いに係合することを特徴とする前記ヘッドカバー。
【請求項２】
前記凹溝が、前記収納部の周方向外方へ向かって実質的に湾曲している請求項１に記載のヘッドカバー。
【請求項３】
前記リブの前記凹溝の側に位置する下端部が、下方から上方へ延びるにつれて前記収納部の径方向内方へ向かって傾斜している請求項１又は２に記載のヘッドカバー。
【請求項４】
前記ノズル被覆部が、該ノズル被覆部から側方へ延びる摘みを有し、前記摘みが、所定のキャラクターを模した外観を備えている請求項１〜３のいずれかに記載のヘッドカバー。
【発明の詳細な説明】
【０００１】
【発明の属する技術分野】
この発明は、ポンプ式容器のヘッドカバーに関し、更に詳細には液状物が収容された本体の口頸部に、上下方向へ往復動可能なポンプヘッドが装着され、該ポンプヘッドの側面からノズルが本体の径方向外方へ突出しているポンプ式容器の前記ポンプヘッドに、着脱可能に装着されるヘッドカバーに関する。
【０００２】
【従来の技術】
従来、シャンプーや液状石けんなどが詰められたポンプ式容器では、ポンプヘッドにキャラクター立体像を施したカバーを補助的に取り付けることは公知である（例えば、特許文献１参照。）。特許文献１では、例えば、シャンプーが詰められているポンプ式容器のポンプヘッドに装着するヘッドカバーに、髪の毛が立ち上がった人の頭部に似せた立体像を形成し、この立体像を見たり、手で触れたりすることにより内容物がシャンプーであることを連想させて内容物表示機能を果たすようにしたものである。
【０００３】
【特許文献１】
実用新案登録第３０２４７４２号公報（段落０００８、図１〜図３）
【０００４】
【発明が解決しようとする課題】
子供が、ポンプ式容器から液状石けんを吐出させることを楽しみながら行わせることができれば、手を洗う習慣を容易に付けさせることができる。特許文献１に開示されたヘッドカバーでは、内容物を表示することを目的としたキャラクター立体像を施したもので、子供などに面白み、楽しみ、可愛らしさなどの感情を起こさせて、ポンプ式容器の利用（内容物の使用）を喚起させるようなものではなかった。特許文献１に開示されたヘッドカバーには、子供がポンプ式容器を喜んで利用するような機能はなく、子供がヘッドカバーに施された立体像を見て、洗髪を喜んで行うことはほとんど期待できない。
【０００５】
この発明の目的は、かかる従来の問題点を解決するためになされたもので、ポンプ式容器のポンプヘッドにヘッドカバーを着脱可能に装着し、子供がポンプ式容器を喜んで利用するヘッドカバーを提供することにある。
【０００６】
【課題を解決するための手段】
上記した課題解決のために、この発明が対象とするのは、内部に液状物が収容された本体と、前記本体の径方向外方へ延びるノズルを有して該本体の頂部で上下方向へ往復動可能なポンプヘッドとから形成されたポンプ式容器の前記ポンプヘッドに、着脱可能に装着されるヘッドカバーである。
【０００７】
かかるポンプ式容器のヘッドカバーにおいて、この発明が特徴とするところは、前記ヘッドカバーが、所定のキャラクターを模した外観を備え、該カバーの下方へ向かって開口するポンプヘッド挿入口と、前記挿入口から上方へ向かって凹んでいて前記ポンプヘッドの上面および側面が納まる収納部と、前記収納部から径方向外方へ延びていて該カバーの下方へ向かって開口し、前記ノズルの過半が納まる細長いノズル被覆部とを有し、前記収納部が、前記挿入口近傍を周方向へ延びていて該収納部の周方向内方へ向かって張り出す凸条と、前記凸条の上方を周方向へ延びていて該収納部の周方向外方へ向かって凹む凹溝と、前記凹溝の上方を上下方向へ延びていて前記収納部の周方向へ所与寸法離間して並ぶ多数のリブとを有し、前記ヘッドカバーでは、前記ポンプヘッドの側面が前記凸条を上方へ向かって乗り越えることが可能、かつ、前記ポンプヘッドが前記収納部に納まると、前記凹溝が前記ポンプヘッドの側面に密着するとともに前記リブが前記ポンプヘッドの上面に密着して前記ヘッドカバーと前記ポンプヘッドとが互いに係合すること、である。
【０００８】
この発明に係るポンプ式容器のヘッドカバーにおける好ましい実施態様としては、前記凹溝が、前記収納部の周方向外方へ向かって実質的に湾曲している。また、他の好ましい実施態様としては、前記リブの前記凹溝の側に位置する下端部が、下方から上方へ延びるにつれて前記収納部の径方向内方へ向かって傾斜している。さらに、他の好ましい実施態様としては、前記ノズル被覆部が、該ノズル被覆部から側方へ延びる摘みを有し、前記摘みが、所定のキャラクターを模した外観を備えている。
【０００９】
【発明の実施の形態】
この発明に係るポンプ式容器のヘッドカバーについて添付図面を参照して詳細に説明すると、以下のとおりである。図１は、ポンプ式容器２０のポンプヘッド２１にヘッドカバー１Ａを装着する状態を示す斜視図、図２は、ポンプヘッド２１に装着されたヘッドカバー１Ａを図１のＩＩ−ＩＩ線で切断して示す断面図、図３は、ヘッドカバー１Ａの下面図、図４は、ヘッドカバー１Ａの一部を拡大して示す部分断面図である。
【００１０】
ポンプ式容器２０は、内部に液状石けんが詰められた本体２２と、本体２２の頂部に形成された口頸部に装着され、上下方向へ往復動可能なポンプヘッド２１とを備え、該ポンプヘッド２１にはノズル２３が設けられている。ポンプ式容器２０では、ポンプヘッド２１を１回押し下げる毎に所定量の液状石けんがノズル２３から吐出する。ポンプヘッド２１は、ポンプ式容器２０の使用時に押し下げ易くするため、上面２１ａがほぼ平坦な円盤型をしている。ノズル２３は、ポンプヘッド２１の周囲側面２１ｂから本体２２の径方向外方へ向かって延びている。ポンプヘッド２１の周囲側面２１ｂは、該ヘッド２１の径方向外方へ凸となる湾曲面で形成され、ポンプヘッド２１の外径は、その厚み方向ほぼ中間部で最大とされている
【００１１】
ポンプヘッド２１に装着されるヘッドカバー１Ａは、合成樹脂で形成され、所定のキャラクターを模した外観を備えている。ヘッドカバー１Ａは、その下方へ向かって開口するポンプヘッド挿入口２と、このポンプヘッド挿入口２から上方へ向かって凹み、ポンプヘッド２１の上面２１ａおよび周囲側面２１ｂが納まる収納部３と、該収納部３から径方向外方へ延びていて該カバー１Ａの下方へ向かって開口し、ノズル２３の過半が納まる細長いノズル被覆部４とを有している。図示例のヘッドカバー１Ａにおいて、それが備える外観は、動物の象の頭部のキャラクターを模したものである。このヘッドカバー１Ａでは、細長いノズル被覆部４が象の鼻に相当している。
【００１２】
ヘッドカバー１Ａの収納部３は、図４に明瞭に示すようにポンプヘッド挿入口２の近傍を周方向へ延び、収納部３の周方向内方へ向かって張り出す凸条５を備えている。この凸条５の上方には、周方向へ延びていて該収納部３の周方向外方へ向かって凹む凹溝６が形成されている。凹溝６の表面は、ポンプヘッド２１における周囲側面２１ｂの厚み方向中間部から下半分に対応した形状とされていることが好ましく、図示例では、ポンプヘッド２１の周囲側面２１ｂが湾曲面であるので、同じ曲率の曲面で形成されている。
【００１３】
凹溝６の上方には、上下方向へ延びていて収納部３の周方向へ所与寸法離間して並ぶ多数のリブ７が形成されている。ヘッドカバー１Ａでは、ポンプヘッド２１を収納部３に納めるとき、その周囲側面２１ｂが凸条５を上方へ向かって乗り越えるが、その際、ポンプヘッド挿入口２を画成しているヘッドカバー１Ａの開口端が弾性変形をして、ポンプヘッド挿入口２の内径が僅かに広がる。ヘッドカバー１Ａにおける開口端の弾性変形は、カバー１Ａの下方へ向かって開口するノズル被覆部４のノズル収納溝４ａが開口端に形成された切り欠き４ｂを介して収納部３に連通していて、周方向へ延びる凸条５が切り欠き４ｂにより不連続となっていること、ヘッドカバー１Ａがプラスチックで形成されていること、開口端が弾性変形を生じる程度の厚みであることから生じる。
【００１４】
このようにしてポンプヘッド２１の周囲側面２１ｂが凸条５を上方へ向かって乗り越えると、その周囲側面２１ｂは収納部３内の凹溝６に密着し、それと同時に多数のリブ７の下端部７ａがポンプヘッド２１の上面２１ａに当接し、その結果ヘッドカバー１Ａとポンプヘッド２１とが互いに係合する。各リブ７の下端部７ａは、ポンプヘッド２１が収納部３に挿入されて、その周囲側面２１ｂが凹溝６に密着したとき、周囲側面２１ｂの厚み方向中間部から上半分の湾曲面に当接するように、下方から上方へ延びるに連れて収納部３の径方向内方へ向かって傾斜している。
【００１５】
ポンプヘッド２１にヘッドカバー１Ａを取り付けたポンプ式容器２０から内容物である液状石けんを吐出させるときには、象の頭部からなるキャラクターを模した外観を備えるヘッドカバー１Ａに手を乗せて、これを押し下げる。その結果、ヘッドカバー１Ａを介してポンプヘッド２１が押し下げられ、所定量の液状石けんが、象の鼻に似せたノズル被覆部４で覆われたノズル２３から吐出するので、あたかも象の鼻の先端部から液状石けんが出るように感じられるため、子供は手洗いを楽しみながら行うことができ、石けんを使って手を洗うことが苦にならない。
【００１６】
図５には、図１とは異なるキャラクターを模した外観を備えるヘッドカバー１Ｂが示されている。このヘッドカバー１Ｂは、動物の狸の頭部のキャラクターを模した外観を備えている。ヘッドカバー１Ｂにおいて、動物の狸の頭部のキャラクターを模した外観では、狸が細長いものを口にくわえ、それを前足で掴んでいたずらをしている状態に似せるように、ノズル２３の過半が納まる細長いノズル被覆部４を口元から突出させている。ヘッドカバー１Ｂでは、その外観が異なる以外は、図１〜３に示すヘッドカバー１Ａと同じ構成とされている。したがって、ヘッドカバー１Ｂは、図示していないが、ヘッドカバー１Ａと同様にポンプヘッド挿入口２から上方へ向かって凹み、ポンプヘッド２１の上面２１ａおよび周囲側面２１ｂが納まる収納部３を有し、該収納部３は、ポンプヘッド挿入口２の近傍を周方向へ延び、収納部３の周方向内方へ向かって張り出す凸条５を備え、該凸条５の上方には、周方向へ延びていて該収納部３の周方向外方へ向かって凹む凹溝６などが形成されている。
【００１７】
ポンプ式容器２０のポンプヘッド２１とノズル２３は、ヘッドカバー１Ａ，１Ｂによって覆い隠され、ヘッドカバー１Ａ，１Ｂは、子供の喜ぶ動物の頭部からなるキャラクターを模した外観を備えているので、子供は手洗いを楽しみながら行うことができ、手を洗う習慣を容易に付けることができる。
【００１８】
ヘッドカバー１Ａ，１Ｂとポンプヘッド２１とは、ポンプヘッド２１の周囲側面２１ｂが凸条５を乗り越えて凹溝６に納まることで、相互に係合されているので、ヘッドカバー１Ａ，１Ｂは、ポンプヘッド２１から簡単に外れない。そのため、ヘッドカバー１Ａ，１Ｂを交換するとき、ポンプヘッド２１から容易に取り外すことができない。特に、ヘッドカバー１Ａ，１Ｂの外観が、子供の喜ぶ動物の頭部からなるキャラクターを模したものであるので、掴むところがなく、子供自身がこの交換作業をしようとすると、非常に困難となる。
【００１９】
図６は、蝶結びされたリボンからなるキャラクターを模した摘み８をノズル被覆部４の上部に一体的に形成したヘッドカバー１Ｃをポンプ式容器２０のポンプヘッド２１に装着する状態を示す図１と同様な斜視図、図７は、図６のＶＩＩ−ＶＩＩ線で切断してヘッドカバー１Ｃを示す断面図である。このヘッドカバー１Ｃでは、蝶結びされたリボンからなるキャラクターを模した摘み８がノズル被覆部４の上部に一体的に形成され、摘み８は、ノズル被覆部４の延長方向に対してほぼ直交する両側方へ張り出した張り出し部８ａを備えているので、この摘み８の張り出し部８ａを利用してヘッドカバー１Ｃを持ち上げると、ポンプヘッド２１から容易に取り外すことができる。図６に示すヘッドカバー１Ｃでは、蝶結びされたリボンからなるキャラクターを模した摘み８がノズル被覆部４の上部に一体的に形成されていること以外は、図１に示すヘッドカバー１Ａとまったく同一に構成されている。
【００２０】
このように、蝶結びされたリボンからなるキャラクターを模した摘み８をノズル被覆部４に形成し、摘み８におけるノズル被覆部４の両側方へ張り出した張り出し部８ａに指などを掛けて簡単にヘッドカバー１Ｃをポンプヘッド２１から取り外すことができるので、子供が自分の好きなキャラクターを模した外観を備えるヘッドカバーを選んで自身で交換することができる。
【００２１】
図示例の各ヘッドカバー１Ａ，１Ｂ，１Ｃでは、それぞれ象と狸の２種類の動物の頭部のキャラクターを模した外観を備えるものであったが、それらキャラクターは、象と狸以外の動物の頭部又は他の部位でもよく、或いは動物以外の種々のキャラクターを模して外観を形成してもよい。また、ノズル被覆部４に設けられた摘み８についても、種々のキャラクターを模して形成することができる。
【００２２】
【発明の効果】
この発明では、子供の喜ぶキャラクターを模した外観を備えるヘッドカバーをポンプ式容器のポンプヘッドに装着することにより、子供が楽しみながらポンプ式容器を用いるので、ポンプ式容器を使用する習慣を容易に付けさせることができる。
【００２３】
また、このヘッドカバーでは、ポンプヘッドの側面が凸条を乗り越えて凹溝に密着するようにしたので、ポンプヘッドが凹溝から簡単に外れることがない。しかも、キャラクターを模した摘みをノズル被覆部に設けたので、子供自身が摘みを掴んでヘッドカバーを簡単にポンプ式容器のポンプヘッドから取り外して別のキャラクターを模した外観を備えるヘッドカバーと交換することができる。
【図面の簡単な説明】
【図１】ポンプ式容器のポンプヘッドに、象の頭部に似せた外観を備えるヘッドカバーを装着する状態を示す斜視図である。
【図２】ポンプヘッドに装着されたヘッドカバーを図１のＩＩ−ＩＩ線で切断して示す断面図である。
【図３】図１に示すヘッドカバーの下面図である。
【図４】図２のヘッドカバーを部分的に拡大して示す部分断面図である。
【図５】他の実施形態に係るヘッドカバーを示す斜視図である。
【図６】ノズル被覆部に摘みを形成した他の実施形態に係るヘッドカバーを、ポンプ式容器のポンプヘッドに装着する状態を示す斜視図である。
【図７】図６のＶＩＩ−ＶＩＩ線で切断してヘッドカバーを示す断面図である。
【符号の説明】
１Ａ，１Ｂ，１Ｃ  ヘッドカバー
２  ポンプヘッド挿入口
３  収納部
４  ノズル被覆部
４ａ  ノズル収納溝
４ｂ  切り欠き
５  凸条
６  凹溝
７  リブ
８  摘み
８ａ  張り出し部
２０  ポンプ式容器
２１  ポンプヘッド
２１ａ  上面
２１ｂ  周囲側面（側面）
２２  容器本体
２３  ノズル
【図１】
2004268997.tif 000003
【図２】
2004268997.tif 000004
【図３】
2004268997.tif 000005
【図４】
2004268997.tif 000006
【図５】
2004268997.tif 000007
【図６】
2004268997.tif 000008
【図７】
2004268997.tif 000009